(57)【要約】【課題】本発明は、ロックピン及びサポートピンからなる簡単な構造のロック機構によって、防振レンズのレンズ保持枠を撮影光軸に対して倒すことなく防振レンズの移動を規制することができる防振レンズのロック機構を提供する。【解決手段】防振レンズ１２をロックする場合には、操作ツマミ６０を回動させて偏心ピン５８を、ロックピン４４の切欠部６２の左側壁面６３から退避させると、ロックピン４４がスプリング５４の付勢力によって右方向に移動され、ロックピン４４が孔部４２に嵌合する。これにより、防振レンズ１２の移動がロックピン４４によって規制される。このとき、レンズ保持枠１４の他方側面１４Ｂの受板４８はサポートピン４６に当接されているので、ロックピン４４の嵌合力がレンズ保持枠１４に作用してもレンズ保持枠１４は光軸Ｌに対して倒れない。【選択図】  図５
2004163648.tif 000002
【特許請求の範囲】
【請求項１】
鏡胴内で光軸と直交する面内で移動されることにより、カメラに加わった振動によって生じる像ぶれを補正する防振レンズのロック機構において、
前記ロック機構は、
前記防振レンズを保持するレンズ保持枠の光軸と直交する一方側面に形成された凹部と、
前記鏡胴に取り付けられるとともに、前記凹部に対して進退移動自在に設けられ、進出移動されることにより凹部に嵌合し、前記レンズ保持枠の移動を規制するロック部材と、
前記鏡胴に取り付けられるとともに、前記レンズ保持枠の光軸と直交する他方側面に当接されて前記レンズ保持枠を支持する当接部材と、
を有することを特徴とする防振レンズのロック機構。
【請求項２】
前記ロック部材と前記当接部材とは、前記光軸と平行な同一線上に配置されていることを特徴とする請求項１に記載の防振レンズのロック機構。
【請求項３】
前記レンズ保持枠に形成された前記凹部と前記ロック部材との嵌合面は互いにテーパ面で形成され、ロック部材のテーパ面を凹部のテーパ面に押圧していくことにより、ロック部材のテーパ面によって前記レンズ保持枠がガイドされ前記防振レンズの光軸が光学系全体の光軸に合わせられることを特徴とする請求項１、又は２に記載の防振レンズのロック機構。
【発明の詳細な説明】
【０００１】
【発明の属する技術分野】
本発明は防振レンズのロック機構に係り、特にカメラに加わった振動によって生じる像ぶれを補正する防振レンズを一時鏡胴に固定するためのロック機構に関する。
【０００２】
【従来の技術】
従来、この種の防振レンズを備えたレンズ装置は、防振レンズをレンズ装置の鏡胴内で撮影光軸と直交する面内で移動自在に支持し、レンズ装置やカメラに振動が加わると、その振動を打ち消す方向に防振レンズをアクチュエータで移動させて像ぶれを補正している。
【０００３】
ところで、このようなレンズ装置には、レンズ装置を輸送等するときに防振レンズが鏡胴内で動いて損傷しないように、また、振動が殆どなく防振機能を必要としないときに、防振レンズの移動を規制するためのロック機構が設けられている。
【０００４】
従来の防振レンズのロック機構として、防振レンズのレンズ保持枠の周りにリング状のロック部材を配置し、このロック部材を前記レンズ保持枠の外周面に押圧することにより、防振レンズの移動を規制するように構成したものが知られている（例えば、特許文献１）。
【０００５】
しかしながら、このロック機構は、レンズ保持枠よりも大径のリング状ロック部材を鏡胴内に配置しなければならず、その分だけ鏡胴が大径になり大型化するという欠点があった。
【０００６】
そこで、防振レンズのレンズ保持枠に孔を形成し、この孔にロックピンを嵌合させることにより、ロックピンを介して防振レンズを鏡胴に固定するように構成したロック機構が提案されている。このロック機構によれば、レンズ保持枠の孔にロックピンを嵌合させるだけの構造なので、リング状ロック部材を使用する前記ロック機構よりも鏡胴が小型になるという利点がある。
【０００７】
【特許文献１】
特開２０００−２９０１号公報  （第３頁  図２）
【０００８】
【発明が解決しようとする課題】
しかしながら、ロックピンを使用した従来の防振レンズのロック機構は、ロックピンをレンズ保持枠の孔に嵌合させた際に、ロックピンを嵌合方向に付勢するばねの付勢力によって、レンズ保持枠に倒れが発生し、防振レンズの光軸が光学系全体の光軸に対してずれるという欠点があった。
【０００９】
本発明はこのような事情に鑑みてなされたもので、簡単な構造によって防振レンズのレンズ保持枠を光軸に対して倒すことなく防振レンズの移動を規制することができる防振レンズのロック機構を提供することを目的とする。
【００１０】
【課題を解決するための手段】
本発明は、前記目的を達成するために、鏡胴内で光軸と直交する面内で移動されることにより、カメラに加わった振動によって生じる像ぶれを補正する防振レンズのロック機構において、前記ロック機構は、前記防振レンズを保持するレンズ保持枠の光軸と直交する一方側面に形成された凹部と、前記鏡胴に取り付けられるとともに、前記凹部に対して進退移動自在に設けられ、進出移動されることにより凹部に嵌合し、前記レンズ保持枠の移動を規制するロック部材と、前記鏡胴に取り付けられるとともに、前記レンズ保持枠の光軸と直交する他方側面に当接されて前記レンズ保持枠を支持する当接部材と、を有することを特徴としている。
【００１１】
請求項１に記載の発明によれば、レンズ保持枠の光軸と直交する一方側面に形成された凹部にロック部材を嵌合させてレンズ保持枠の移動を規制する。このとき、レンズ保持枠の光軸と直交する他方側面は当接部材に当接支持されているので、ロック部材の嵌合力（凹部に対する押圧力）がレンズ保持枠に作用してもレンズ保持枠は倒れない。したがって、ロック部材及び当接部材からなる簡単な構造のロック機構によって、防振レンズのレンズ保持枠を光軸に対して倒すことなく防振レンズの移動を規制することができる。
【００１２】
請求項２に記載の発明によれば、ロック部材と当接部材とを光軸と平行な同一線上に配置したことを特徴としている。この配置構造によって、当接部材がロック部材の嵌合力を、レンズ保持枠を介して直接受けるので、レンズ保持枠に捩じりを生じさせる応力はレンズ保持枠に発生しない。これにより、前記応力に起因するレンズ保持枠の変形による光軸のずれ発生を防止できる。
【００１３】
請求項３に記載の発明によれば、レンズ保持枠に形成された凹部とロック部材との嵌合面を互いにテーパ面で形成し、ロック部材のテーパ面を凹部のテーパ面に押圧することにより、ロック部材のテーパ面によってレンズ保持枠をガイドして防振レンズの光軸を光学系全体の光軸に合わせたので、防振レンズの移動を規制して撮影に使用する場合に特に有利になる。
【００１４】
【発明の実施の形態】
以下添付図面に従って本発明に係る防振レンズのロック機構の好ましい実施の形態を詳述する。
【００１５】
図１は、本発明の実施の形態に係る防振レンズのロック機構が適用された鏡胴の要部断面図であり、図２は防振レンズの移動機構を示す正面図である。図２に示すようにカメラレンズ装置の鏡胴１０内には、防振レンズ１２が矩形状のレンズ保持枠１４に保持されて配置される。この防振レンズ１２は、前記移動機構を構成するリニアモータ１６、１８によって撮影光軸（光学系全体の光軸）Ｌと直交する面内で像ぶれを補正する方向に移動される。
【００１６】
すなわち、防振レンズ１２のレンズ保持枠１４は、図２上で右縁部に形成された一対の軸受部２０、２０が、上下方向に配置されたガイドバー２１に摺動自在に嵌合されることにより上下方向に移動される。また、レンズ保持枠１４は、図２上で下縁部に形成された一対の軸受部２２、２２が、左右方向に配置されたガイドバー２３に摺動自在に嵌合されることにより左右方向に移動される。かかる構造によってレンズ保持枠１４は、撮影光軸Ｌと直交する面内で移動自在となっている。
【００１７】
リニアモータ１６は、防振レンズ１２を図２上で左右方向に移動させるアクチュエータであり、モータ本体１６Ａ及びピストン１６Ｂから構成される。モータ本体１６Ａは鏡胴１０に固定され、ピストン１６Ｂの先端は、ガイドバー２１の両端が固定された略逆コ字状のフレーム２４に連結されている。フレーム２４は、その上下端に形成された軸受部２５、２５が、図２上で左右方向に配置されたガイドバー２６、２６に摺動自在に嵌合されることにより左右方向に移動自在となっている。ガイドバー２６、２６は、鏡胴１０に固定されている。
【００１８】
また、フレーム２４には、位置センサ２８の検出用接触針２８Ｂの先端が押圧当接されている。位置センサ２８は、検出用接触針２８Ｂがピストン１６Ｂと平行になる位置に、センサ本体２８Ａが鏡胴１０に固定され、ピストン１６Ｂの伸縮動作で左右方向に平行移動するフレーム２４の左右方向移動量を検知する。
【００１９】
一方、リニアモータ１８は、防振レンズ１２を図２上で上下方向に移動させるアクチュエータであり、モータ本体１８Ａ及びピストン１８Ｂから構成される。モータ本体１８Ａは鏡胴１０に固定され、ピストン１８Ｂの先端は、ガイドバー２３の両端が固定された略凹字状のフレーム３０に連結されている。フレーム３０は、その左右端に形成された軸受部３１、３１が、図２上で上下方向に配置されたガイドバー３２、３２に摺動自在に嵌合されることにより上下方向に移動自在に配置されている。ガイドバー３２、３２は、鏡胴１０に固定されている。
【００２０】
また、フレーム３０には、位置センサ３４の検出用接触針３４Ｂの先端が押圧当接されている。位置センサ３４は、検出用接触針３４Ｂがピストン１８Ｂと平行になる位置に、センサ本体３４Ａが鏡胴１０に固定され、ピストン１８Ｂの伸縮動作で上下方向に平行移動するフレーム３０の上下方向移動量を検知する。
【００２１】
鏡胴１０には、図示しない角速度センサが２ヵ所設けられている。一方の角速度センサは鏡胴１０の側部に、他方の角速度センサは鏡胴の上部にそれぞれ設けられている。前者の角速度センサは、鏡胴１０に伝達された振動のうち左右方向成分の振動を検知するもので、この検知された情報は、図示しないＣＰＵに出力される。ＣＰＵは、前記角速度センサからの情報に基づいて防振レンズ１２に与えるべき左右方向の補正移動量を演算する。この左右方向の補正移動量を示す信号は、アンプで増幅されたのち、リニアモータ１６に出力される。リニアモータ１６は、ＣＰＵからの前記信号に応じた量だけピストン１６Ｂを伸長又は収縮する。ピストン１６Ｂが伸長又は収縮されると、レンズ保持枠１４はガイドバー２３にガイドされて図２上で左右方向に移動される。
【００２２】
一方、後者の角速度センサは、鏡胴１０に伝達された振動のうち上下方向成分の振動を検知するもので、検知された情報は前記ＣＰＵに出力される。ＣＰＵは、前記角速度センサからの情報に基づいて防振レンズ１２に与えるべき上下方向の補正移動量を演算し、この上下方向の補正移動量を示す信号をアンプを介してリニアモータ１８に出力する。リニアモータ１８は、ＣＰＵからの信号に応じた量だけピストン１８Ｂを伸長又は収縮する。ピストン１８Ｂが伸長又は収縮されると、レンズ保持枠１４はガイドバー２１にガイドされて図２上で上下方向に移動される。
【００２３】
このようなレンズ保持枠１４の左右方向移動、上下方向移動によって、カメラに加わった振動による像ぶれが防振レンズ１２によって補正される。
【００２４】
図１、図３の如く実施の形態の防振レンズ１２のロック機構４０は、防振レンズ１２のレンズ保持枠１４に形成された孔部（凹部）４２、ロックピン（ロック部材）４４、及びサポートピン（当接部材）４６等から構成される。
【００２５】
孔部４２は、図３に示すレンズ保持枠１４の一方側面１４Ａの左上隅部に形成されるとともに、その外周面は先細状のテーパ面４３に形成されている。また、孔部４２は、図４の如くレンズ保持枠１４の他方側面１４Ｂ側に取り付けられたプラスチック製の受板４８によって閉塞されるとともに、図３の如く防振レンズ１２の光軸Ｌ´と平行な軸Ｐを中心に形成されている。
【００２６】
ロックピン４４は筒状に形成され、その貫通孔４９が、撮影光軸Ｌと平行に設けられたガイドピン５０に摺動自在に嵌合されている。ガイドピン５０は、図１の如く鏡胴１０の内周部に形成された支持板５２に突設されている。
【００２７】
支持板５２とロックピン４４との間には、スプリング５４が配置される。このスプリング５４の付勢力によってロックピン４４は、孔部４２との嵌合方向に付勢され、図５の如くロックピン４４の先端テーパ面４５が孔部４２のテーパ面４３に嵌合される。これによって、レンズ保持枠１４がロックピン４４を介して鏡胴１０にロックされ、防振レンズ１２の移動が規制される。
【００２８】
図１の如く鏡胴１０には、スプリング５４の付勢力に抗してロックピン４４を孔部４２から退避移動させる操作部５６が設けられている。
【００２９】
操作部５６は図３の如く、偏心ピン５８及び操作ツマミ６０等から構成される。偏心ピン５８は、ロックピン４４の表面に形成された切欠部６２に挿入されるとともに、連結板６４を介して操作ツマミ６０の連結バー６６に連結されている。操作ツマミ６０を回動操作して偏心ピン５８を図４の位置に位置させると、偏心ピン５８が、ロックピン４４の切欠部６２の左側壁面６３を左方向に押圧することにより、ロックピン４４がスプリング５４の付勢力に抗して左方向に移動され、ロックピン４４が孔部４２から退避する。これにより、ロックピン４４による規制が解除され、防振レンズ１２が移動可能となる。また、操作ツマミ６０を回動操作して偏心ピン５８を図５の位置に位置させると、偏心ピン５８が、ロックピン４４の切欠部６２の左側壁面６３から右方に退避することにより、ロックピン４４がスプリング５４の付勢力によって右方向に移動され、ロックピン４４が孔部４２に嵌合する。これにより、防振レンズ１２の移動がロックピン４４によって規制される。
【００３０】
また、凹部４２のテーパ面４３及びロックピン４４のテーパ面４５は、テーパ面４５をテーパ面４３に押圧していくことにより、テーパ面４５によってレンズ保持枠１４がガイドされ防振レンズ１２の光軸Ｌ´が撮影光軸Ｌに自動的に合わせられる傾斜角度に形成されている。
【００３１】
一方、サポートピン４６は図４、図５に示すように、レンズ保持枠１４を挟んでロックピン４４の反対側に配置されるとともに、レンズ保持枠１４の孔部４２の他方側面１４Ｂに取り付けられた受板４８に接触されている。また、サポートピン４６は、鏡胴１０の内周面に形成された支持板６８に突設されるとともに、ロックピン４４と同一軸線上に配置されている。なお、受板４８のサポートピン４６側の面は潤滑材がコーティングされ、サポートピン４６の接触による摺動抵抗の低減が図られている。
【００３２】
次に、前記の如く構成された防振レンズ１２のロック機構４０の作用について説明する。
【００３３】
図４に示した移動可能状態の防振レンズ１２を、移動規制する場合には、操作ツマミ６０（図３参照）を図４の位置から例えば１８０°回動させると、偏心ピン５８が、ロックピン４４の切欠部６２の左側壁面６３から退避することにより、ロックピン４４がスプリング５４の付勢力によって右方向に移動し、ロックピン４４が図５の如く孔部４２に嵌合する。これにより、防振レンズ１２の移動がロックピン４４によって規制される。
【００３４】
そして、このとき、レンズ保持枠１４の他方側面１４Ｂの受板４８はサポートピン４６に当接支持されているので、ロックピン４４の嵌合力（孔部４２に対する押圧力）がレンズ保持枠１４に作用してもレンズ保持枠１４は光軸Ｌに対して倒れない。
【００３５】
したがって、実施の形態のロック機構４０によれば、ロックピン４４及びサポートピン４６からなる簡単な構造のロック機構によって、防振レンズ１２のレンズ保持枠１４を撮影光軸Ｌに対して倒すことなく防振レンズ１２の移動を規制することができる。
【００３６】
また、ロック機構４０によれば、ロックピン４４とサポートピン４６とが同一軸線上に配置されている。この配置構造によって、サポートピン４６がロックピン４４の前記嵌合力を、レンズ保持枠１４を介して直接受けるので、レンズ保持枠１４に捩じりを生じさせる応力はレンズ保持枠１４に発生しない。これにより、前記応力に起因するレンズ保持枠１４の変形による光軸Ｌ´のずれ発生を防止できる。
【００３７】
更に、ロック機構４０によれば、ロックピン４４のテーパ面４５によってレンズ保持枠１４をガイドし、防振レンズ１２の光軸Ｌ´を撮影光軸Ｌに合わせることができるので、防振レンズ１２の移動を規制して撮影に使用する場合に特に有利になる。
【００３８】
図４、図５に示したロック機構４０では、孔部４２を受板４８によって閉塞し、且つ、サポートピン４６を支持板６８に突設した例を説明したが、図６、図７の如く、貫通した孔部ではなく凹部４２´をレンズ保持枠１４に形成し、この凹部４２´のテーパ面４３´にロックピン４４のテーパ面４５を嵌合させるようにしてもよい。また、支持板６８に凸状の当接部材６９を一体形成し、当接部材６９をレンズ保持枠１４の他方側面１４Ｂに当接させてもよい。この場合においても、当接部材６９が当接する他方側面１４Ｂの一部に潤滑材をコーティングし、且つ、ロックピン４４と当接部材６９とを同一直線上に配置する。
【００３９】
【発明の効果】
以上説明したように本発明に係る防振レンズのロック機構によれば、レンズ保持枠の光軸と直交する一方側面側に形成された凹部にロック部材を嵌合させ、レンズ保持枠の移動を規制したとき、レンズ保持枠の光軸と直交する他方側面は当接部材に当接支持されているので、レンズ保持枠は倒れない。したがって、ロック部材及び当接部材からなる簡単な構造のロック機構によって、防振レンズのレンズ保持枠を光軸に対して倒すことなく防振レンズの移動を規制することができる。
【００４０】
また、本発明によれば、ロック部材と当接部材とを光軸と平行な同一線上に配置したので、ロック部材によって防振レンズの移動を規制したときのレンズ保持枠の変形を防止でき、これにより、変形に起因する光軸のずれ発生を防止できる。
【００４１】
更に、本発明によれば、レンズ保持枠に形成された凹部とロック部材との嵌合面を互いテーパ面で形成し、ロック部材のテーパ面を凹部のテーパ面に押圧することにより、ロック部材のテーパ面によってレンズ保持枠をガイドして防振レンズの光軸を光学系全体の光軸に合わせたので、防振レンズの移動を規制して撮影に使用する場合に特に有利になる。
【図面の簡単な説明】
【図１】本発明に係る防振レンズのロック機構が適用された鏡胴の要部側断面図
【図２】防振レンズの移動機構の実施の形態を示す正面図
【図３】防振レンズのロック機構の実施の形態を示す斜視図
【図４】図３に示したロック機構の動作説明図
【図５】図３に示したロック機構の動作説明図
【図６】防振レンズの他のロック機構の実施の形態を示す要部断面図
【図７】図６に示したロック機構が防振レンズの移動を規制した状態を示す動作説明図
【符号の説明】
１０…鏡胴、１２…防振レンズ、１４…レンズ保持枠、１６、１８…リニアモータ、２８、３４…位置センサ、４０…ロック機構、４２…孔部（凹部）、４４…ロックピン（ロック部材）、４６…サポートピン（当接部材）、４８…受板、５０…ガイドピン、５４…スプリング、５６…操作部、５８…偏心ピン
【図１】
2004163648.tif 000003
【図２】
2004163648.tif 000004
【図３】
2004163648.tif 000005
【図４】
2004163648.tif 000006
【図５】
2004163648.tif 000007
【図６】
2004163648.tif 000008
【図７】
2004163648.tif 000009